(57)【要約】【課題】ソフトルアーについて大きなコストアップを伴うことなく容易に擬似魚眼を装着できるようにする。【解決手段】表側に魚眼が表示され裏側が略平面状とされた魚眼部材１０，１１の一組からなるソフトルアー用擬似魚眼１Ａにおいて、一方の魚眼部材１１は裏面略中央部から略垂直方向に針状の連結用軸１１ｃが突設されて略画鋲状とされ、他方の魚眼部材１０は裏面略中央部から表面略中央部に貫通し連結用軸１１ｃの横断面形状に略一致した横断面形状の連結孔１０ｃが設けられた略円盤状とされ、連結用軸１１ｃをソフトルアーの頭部所定位置から刺し込んで先端側を反対側に突出させ連結孔１０ｃに裏面側から挿入して固定することにより、両魚眼部材１０，１１でソフトルアー頭部を挟み込んだ状態で装着するものとした。【選択図】図１
0003124637.tif 000002
【実用新案登録請求の範囲】
【請求項１】
表側に魚眼が表示され裏側が略平面状とされた魚眼部材の一組からなるソフトルアー用擬似魚眼において、
一方の前記魚眼部材は裏面略中央部から略垂直方向に針状の連結用軸が突設されて略画鋲状とされ、他方の前記魚眼部材は裏面略中央部から表面略中央部に貫通し前記連結用軸の横断面形状に略一致した横断面形状の連結孔が設けられた略円盤状とされ、前記連結用軸をソフトルアーの頭部所定位置から刺し込んで先端側を反対側に突出させ前記連結孔に裏面側から挿入して固定することにより、前記両魚眼部材で前記ソフトルアー頭部を挟み込んだ状態で装着する、
ことを特徴とするソフトルアー用擬似魚眼。
【請求項２】
前記連結用軸は合成樹脂からなり、装着時に前記他方の魚眼部材表面側から突出した余剰部分を切除して使用するものとされている、ことを特徴とする請求項１に記載したソフトルアー用擬似魚眼。
【請求項３】
前記連結用軸と前記連結孔による固定は、前記連結用軸表面に設けた鈎状構造と、該鈎状構造に対応する形状で前記連結孔内に突設した係合構造とが、前記連結用軸を前記連結孔に挿入した状態で挿入方向よりも引き抜き方向に抵抗が強くなるように係合するものとされている、ことを特徴とする請求項１または２に記載したソフトルアー用擬似魚眼。
【請求項４】
前記連結用軸の少なくとも先端側は外観および断面が略黒色となる素材からなり、前記連結孔が魚眼の瞳部分に一致する位置で開口している、ことを特徴とする請求項１，２または３に記載したソフトルアー用擬似魚眼。
【請求項５】
請求項１，２，３または４に記載したソフトルアー用擬似魚眼が頭部側の所定位置に装着されてなるソフトルアー。
【考案の詳細な説明】
【技術分野】
【０００１】
本考案は、一組の魚眼部材からなるソフトルアー用擬似魚眼、及びそれを装着したソフトルアーに関する。  
【背景技術】
【０００２】
ルアーフィッシィングにおいて使用されるルアー（疑似餌）は、ターゲットとなる魚の補食対象である小魚等の小動物の外観を摸してなるものであり、釣り人が竿やリールの操作を加えることでライン（釣り糸）を介して小動物の動きを演出しながら対象魚に捕食行動をとらせるためのものである。
【０００３】
このようなルアーは、例えば小魚を摸している場合、よりリアルな外観とするために頭部に一組の眼球（魚眼）を描くことが通常行われている。また、最近ではルアー本体とは別体に作成されルアー本体に貼り付ける後付け式の擬似魚眼も普及しており、特開平１０―２９０６４４号公報記載のもののように、ガラスを成型して片面を平面状に他面を半球状にしたものの平面側に、金属被膜層やオーロラ層を設けてより本物の魚眼に近い外観を達成したものも知られている。
【０００４】
ところが、このようにルアー表面に眼球をリアルに設けるのは、もっぱらハードルアーといわれる硬質プラスティック製または木製のものが対象であり、近年普及している軟質プラスティック製のソフトルアーに対しては、詳細に魚眼を描き込むことが困難であり、且つ、別体とされた擬似魚眼を貼り付けることも容易ではない。即ち、ソフトルアーは極めて柔軟な素材からなりしかもワームオイルが浸潤していることから、塗料が脱落し易いとともに接着剤による接着対応性も極めて低いからである。
【０００５】
そこで、ソフトルアーの表面から僅かに下の層に擬似魚眼を埋め込むことも行われている。しかし、消耗品としての性格が強いソフトルアーにおいてはコストアップが問題になるとともに眼球部分が外部から鮮明に認識しにくいものとなりやすい。また、ガラス製魚眼の裏面から鈎針を突出させてソフトルアーの頭部に差し込んで固定させるタイプのものもあるが、魚が掛かった衝撃で脱落しやすいとともに装着に手間と技術を要する、という欠点がある。
【特許文献１】特開平１０―２９０６４４号公報
【考案の開示】
【考案が解決しようとする課題】
【０００６】
本考案は、上記のような問題点を解決しようとするものであり、ソフトルアーについて大きなコストアップを伴うことなく容易に擬似魚眼を装着できるようにすることを課題とする。
【課題を解決するための手段】
【０００７】
そこで、本考案は、表側に魚眼が表示され裏側が略平面状とされた魚眼部材の一組からなるソフトルアー用擬似魚眼において、一方の魚眼部材は裏面略中央部から略垂直方向に針状の連結用軸が突設されて略画鋲状とされ、他方の魚眼部材は裏面略中央部から表面略中央部に貫通し連結用軸の横断面形状に略一致した横断面形状の連結孔が設けられた略円盤状とされ、連結用軸をソフトルアーの頭部所定位置から刺し込んで先端側を反対側に突出させ連結孔に裏面側から挿入して固定し、両魚眼部材でソフトルアー頭部を挟み込んだ状態で装着するものとした。
【０００８】
このように、ソフトルアーの頭部に一方の魚眼部材の連結用軸を差し込んで、反対側に突出した先端側を他方の魚眼部材の連結孔に挿入して固定する、という極めて簡単な手順で擬似魚眼をしっかりと装着することができ、しかも簡易な構成であるため大きなコストアップを伴うことのないものとなる。
【０００９】
また、この連結用軸は合成樹脂からなり、装着時に他方の魚眼部材の表面側から突出した余剰部分を切除して使用するものとすれば、連結用軸を長めにしておくことで頭部側の厚さが様々な種類のソフトルアーに容易に対応できるものとなる。
【００１０】
さらに、上述したソフトルアー用擬似魚眼において、連結用軸と連結孔による固定は、連結用軸表面に設けた鈎状構造と、この鈎状構造に対応する形状で連結孔側に突設した係合構造とが、連結用軸を挿入した状態で挿入方向よりも引き抜き方向に抵抗が強くなるように係合するものとすれば、簡易な構造で容易に装着できるとともに、一旦装着した後は容易に脱落しにくいものとなる。
【００１１】
さらにまた、上述したソフトルアー用擬似魚眼において、連結用軸の少なくとも先端側は外観および断面が略黒色となる素材からなり、連結孔が魚眼の瞳部分に一致する位置で開口しているものとすれば、連結孔開口部も略黒色となって魚眼としての外観に違和感を与えにくいものとなる。
【００１２】
加えて、上述したソフトルアー用擬似魚眼が頭部側の所定位置に装着されてなるソフトルアーとすれば、大きなコストアップを伴うことなく容易に餌となる小動物のリアルな外観を表現することができ、優れた釣果が期待できるものとなる。
【考案の効果】
【００１３】
連結用軸をソフトルアーに貫通させ反対側で他方の連結孔に挿入して固定する一組の魚眼部材からなるものとした本考案によると、極めて簡易な構成により大きなコストアップを伴うことがなく、しかもソフトルアーに容易に装着することができるものである。
【考案を実施するための最良の形態】
【００１４】
以下に、図面を参照しながら本考案を実施するための最良の形態を説明する。
【００１５】
図１（Ａ）は、本考案における最良の実施の形態であり、且つ第１の実施の形態である擬似魚眼１Ａを示す斜視図であり、図１（Ｂ）はその横断面図である。擬似魚眼１Ａは、ソフトルアーに後付けで装着する方式のものであり、連結孔１０ｃを有した略五円玉状の魚眼部材１０と、針状の連結軸１１ｃを有した略画鋲状の魚眼部材１１との組合せからなるものである。
【００１６】
魚眼部材１０は、白色や黄色などの明度の高い色の樹脂素材またはそのような色を着色してなる円盤１０ａの表面側に、透明樹脂等からなる所定厚さのクリア層１０ｂを有するとともに裏面から表面に貫通した連結孔１０ｃを有している。一方、魚眼部材１１は、魚眼部材１０とほぼ同様の構成であるがその連結孔に相当する部分に、裏面から黒色等の明度の低い色を有している樹脂製で針状の連結用軸１１ｃがその基端側を嵌挿されて固定されている。
【００１７】
そして、この魚眼部材１１の連結用軸１１ｃの中央部分から先端にかけてその中心軸線に対し遠心方向に略直角な面と中心軸線に対し傾斜した面とで円周方向に円環状に削ってなる溝１１１が所定間隔で連設されて横断面鋸歯状とされた鈎状構造部１１０を備えている。
【００１８】
そして、図４の拡大部分図に示すように、魚眼部材１０の連結孔１０ｃがこの連結用軸１１ｃの外径とほぼ同等の外径を有してこれを挿入可能とされているとともに、その内周面に連結軸１１ｃの鈎状構造部１１０が引き抜く方向で係合するように中心方向に突出した係合構造部１０２を備えており、ソフトルアー装着時に連結孔１０ｃの裏側開口部から連結用軸１１ｃの先端側を挿入した際に、挿入方向に抵抗が少なく引き抜き方向に係合して大きな抵抗が生じるようになっている。
【００１９】
図２を参照して、本実施の形態である擬似魚眼１Ａのソフトルアーへの装着手順を説明すると、図２（Ａ）に示すように、先ず魚眼部材１１の連結用軸１１ｃをソフトルアー１００の眼球位置に相当する部分から略直角に刺し込んで、その先端側を反対側に突出させる。この場合、ソフトルアーは柔軟素材からなることから、連結用軸１１ｃが弾力性のある樹脂素材からなるものであっても容易に刺し込んで貫通させることができる。
【００２０】
そして、図２（Ｂ）に示すように魚眼部材１０の連結孔１０ｃの裏側開口部を連結軸１１ｃ先端に合わせて挿入させ、両魚眼部材１０，１１の裏側でソフトルアー１００を挟み込むようにしながら魚眼部材１０の表側で連結用軸１１ｃの先端側が突出するようにする。このような簡単な手順により、擬似魚眼１Ａはソフトルアー１００にしっかりと装着され、鈎状構造部１１０と係合構造部１０２とが係合することで装着状態が堅固に維持されるものとなる。尚、この鈎状構造部１１０と係合構造部１０２との組合せに代えて、ネジ状構造部とネジ孔状構造部との組合せとしても装着状態が堅固となるが、装着時にやや手間のかかりやすいものとなる。
【００２１】
そして、図２（Ｃ）に示すように、その突出部が大きくて邪魔になるようであれば、余剰部分をカッター等で切除する。図３はこの切除した状態の斜視図である。このとき、連結用軸１１ｃの切断面も略黒色となっていることから、この部分が魚眼の瞳部分となるとともに、魚眼部材１１と同様にクリア層１０ｂ中で瞳部分が立体的に見られ、よりリアルな外観を呈するものとなる。
【００２２】
図５は、本考案における第２の実施の形態の擬似魚眼１Ｂを示す横断面図であって、連結用軸１３ｃの径が魚眼の瞳部分の径よりも小さく、且つ、クリア層を備えていない場合の実施の形態を示している。本実施の形態は、魚眼部材１２，１３表側に、白等の明度の高い地に略黒色の瞳部分１２０，１３０を印刷したシール１２ｂ，１３ｂを貼付してなる簡易型のものである。
【００２３】
魚眼部材１３は、その連結用軸１３ｃが円盤１３ａと一体に成型され全体が略黒色の樹脂素材からなり、その連結用軸１３ｃの径は魚眼部材１２の瞳部分１２０の径よりも小さい。一方、魚眼部材１２も同様に略黒色の樹脂部材からなり第１の実施の形態と同様に連結孔１２ｃが貫通しているが、その径も瞳部分１２０よりも小さい。そして、装着時に連結用軸１３ｃの余剰部分を切除した切除面も略黒色となって魚眼として違和感を与えないようになっている。尚、両魚眼部材１２，１３は略黒色素材からなり、明度の高い表面色を有するシール１２ｂ，１３ｂよりも径が大きいことから、その縁取りとなって魚眼が強調されるようになっている。
【００２４】
以上、述べたように、本考案のソフトルアー用擬似魚眼およびそれを装着したソフトルアーは、極めて簡易な構成により擬似魚眼をソフトルアーに装着できるものであり、大きなコストアップを伴うことなく容易に装着できるものである。尚、上述の説明において、各部材に使用する樹脂素材はソフトルアーやワームオイルに触れても劣化や熔解の少ないものを選択することが推奨される。また、クリア層を有する魚眼部材においては、クリア層は光透過性に優れて表面に光沢を備えたものであれば樹脂製に限らずガラス製でもよい。
【図面の簡単な説明】
【００２５】
【図１】（Ａ）は本考案の第１の実施の形態を示す斜視図、（Ｂ）はその横断面図。
【図２】（Ａ），（Ｂ），（Ｃ）は図１の擬似魚眼の装着手順を示すための横断面図。
【図３】図２（Ｃ）の装着状態を示す斜視図。
【図４】図２（Ｂ）の拡大部分図。
【図５】本考案の第１の実施の形態を示す横断面図。
【符号の説明】
【００２６】
１Ａ，１Ｂ  擬似魚眼、１０，１１，１２，１３  魚眼部材、１０ａ，１１ａ、１２ａ，１３ａ  円盤、１０ｂ，１１ｂ  クリア層、１０ｃ，１２ｃ  連結孔、１１ｃ，１３ｃ  連結用軸、１００  ソフトルアー、１０２，１２２  係合構造部、１１０，１３１  鈎状構造部、１１１  溝、１２０，１３０  瞳部分
【図１】
0003124637.tif 000003
【図２】
0003124637.tif 000004
【図３】
0003124637.tif 000005
【図４】
0003124637.tif 000006
【図５】
0003124637.tif 000007